(57)【要約】【課題】ユーザに機能制限を感じさせずに電池寿命を長期化させる。【解決手段】電子時計１００は、第１表示部１３２と、第１表示部１３２より消費電力の低い第２表示部１３６と、第１制御部１１０と、第１制御部１１０より消費電力の低い第２制御部１２０と、第１の通信方式と第１の通信方式より低消費電力で通信可能な第２の通信方式とに対応した通信部１３１と、ユーザの操作を取得する第１操作部１３３と、通信部１３１との接続先を第１制御部１１０又は第２制御部１２０のいずれかに切り替えるスイッチ部１３５と、を備え、スイッチ部１３５は、消費電力を抑える動作状態である電力抑制状態への移行の条件が満たされると、通信部１３１と第２制御部１２０とを接続し、通常の動作状態である通常状態への移行の条件が満たされると、通信部１３１と第１制御部１１０とを接続する。【選択図】図１
2020169862.tif 000002
【特許請求の範囲】
【請求項１】
第１表示部と、
前記第１表示部より消費電力の低い第２表示部と、
第１制御部と、
前記第１制御部より消費電力の低い第２制御部と、
第１の通信方式と、前記第１の通信方式より低消費電力で通信可能な第２の通信方式と、に対応した通信部と、
ユーザの操作を取得すると、消費電力を抑えるスリープ状態から前記第１制御部を復帰させるウェイクアップ信号を送信する操作取得部と、
前記通信部との接続先を前記第１制御部又は前記第２制御部のいずれかに切り替えるスイッチ部と、を備え、
前記スイッチ部は、
消費電力を抑える動作状態である電力抑制状態への移行の条件が満たされると、前記通信部と前記第２制御部とを接続し、
通常の動作状態である通常状態への移行の条件が満たされると、前記通信部と前記第１制御部とを接続する、
電子機器。
【請求項２】
前記第１制御部は、
前記電力抑制状態への移行の条件が満たされると、前記第２制御部に電力抑制通知を送信し、前記第１表示部での表示を停止し、前記スリープ状態に移行し、
前記第２制御部又は前記操作取得部から前記ウェイクアップ信号を受信すると前記スリープ状態から復帰し、前記第１表示部での表示を開始し、前記通信部での通信を前記第１の通信方式での通信に切り替え、
前記第２制御部は、
前記第１制御部から前記電力抑制通知を受信すると、前記第２表示部での表示を開始し、前記通信部での通信を前記第２の通信方式での通信に切り替え、
前記通常状態への移行の条件が満たされると、前記第１制御部に前記ウェイクアップ信号を送信し、前記第２表示部での表示を停止する、
請求項１に記載の電子機器。
【請求項３】
前記電力抑制状態への移行の条件には、所定の時間、前記操作取得部で前記操作が取得されないことが含まれる、
請求項１又は２に記載の電子機器。
【請求項４】
前記通常状態への移行の条件には、前記通信部で受信した情報が電話の着信を示す情報であることが含まれる、
請求項１から３のいずれか１項に記載の電子機器。
【請求項５】
さらに、前記通信部で受信した情報の優先度を取得する優先度取得部を備え、
前記通常状態への移行の条件には、前記優先度取得部が取得した優先度が高い前記情報を前記通信部で受信したことが含まれる、
請求項１から４のいずれか１項に記載の電子機器。
【請求項６】
前記第２制御部は、前記通信部で受信した情報の優先度が高くない場合、当該情報を受信したことを示すアイコンを前記第２表示部に表示する、
請求項５に記載の電子機器。
【請求項７】
さらに、加速度を検出する加速度センサを備え、
前記通常状態への移行の条件には、前記加速度センサが検出した値が所定の動きを示していると前記第２制御部が判定したことが含まれる、
請求項１から６のいずれか１項に記載の電子機器。
【請求項８】
さらに、前記ユーザが前記電力抑制状態の維持を希望するか否かの設定を取得するユーザ設定取得部を備え、
前記ユーザ設定取得部で取得した前記設定が、前記電力抑制状態の維持を希望するである場合は、前記第２制御部は、前記通信部で受信した情報が前記通常状態への移行の条件を満たす場合でも、前記第１制御部に前記ウェイクアップ信号を送信せず、前記第２表示部での表示と前記第２の通信方式での通信とを維持する、
請求項１から７のいずれか１項に記載の電子機器。
【請求項９】
さらに、前記動作状態が切り替わることを振動又は音により前記ユーザに通知する通知部を備え、
前記第２制御部は、前記通常状態への移行の条件が満たされると、前記通知部により前記ユーザに通知する、
請求項１から８のいずれか１項に記載の電子機器。
【請求項１０】
前記電力抑制状態への移行の条件が満たされた際に、前記通信部が前記第１の通信方式で通信を行っている場合には、前記第２制御部は、前記通信部での通信を前記第２の通信方式での通信に切り替えず、前記第１の通信方式での通信を継続する、
請求項１から９のいずれか１項に記載の電子機器。
【請求項１１】
前記通常状態への移行の条件が満たされた際に、前記通信部が前記第２の通信方式で通信を行っている場合には、前記第１制御部は、前記通信部での通信を前記第１の通信方式での通信に切り替えず、前記第２の通信方式での通信を継続する、
請求項１から１０のいずれか１項に記載の電子機器。
【請求項１２】
第１表示部と、前記第１表示部より消費電力の低い第２表示部と、第１制御部と、前記第１制御部より消費電力の低い第２制御部と、第１の通信方式と、前記第１の通信方式より低消費電力で通信可能な第２の通信方式と、に対応した通信部と、を備える電子機器の制御方法であって、
消費電力を抑える動作状態である電力抑制状態への移行の条件が満たされると、制御の主体を前記第２制御部に切り替え、前記第１表示部での表示を停止し、前記第１制御部を消費電力を抑えるスリープ状態に移行させ、前記第２表示部での表示を開始し、前記通信部での通信を前記第２の通信方式による通信に切り替える、電力抑制移行ステップと、
通常の動作状態である通常状態への移行の条件が満たされると、前記第１制御部を前記スリープ状態から復帰させて制御の主体を前記第１制御部に切り替え、前記第２表示部での表示を停止し、前記第１表示部での表示を開始し、前記通信部での通信を前記第１の通信方式による通信に切り替える、通常状態移行ステップと、
を備える制御方法。
【請求項１３】
第１表示部と、前記第１表示部より消費電力の低い第２表示部と、第１制御部と、前記第１制御部より消費電力の低い第２制御部と、第１の通信方式と、前記第１の通信方式より低消費電力で通信可能な第２の通信方式と、に対応した通信部と、を備える電子機器のコンピュータに、
消費電力を抑える動作状態である電力抑制状態への移行の条件が満たされると、制御の主体を前記第２制御部に切り替え、前記第１表示部での表示を停止し、前記第１制御部を消費電力を抑えるスリープ状態に移行させ、前記第２表示部での表示を開始し、前記通信部での通信を前記第２の通信方式による通信に切り替える、電力抑制移行ステップ、及び、
通常の動作状態である通常状態への移行の条件が満たされると、前記第１制御部を前記スリープ状態から復帰させて制御の主体を前記第１制御部に切り替え、前記第２表示部での表示を停止し、前記第１表示部での表示を開始し、前記通信部での通信を前記第１の通信方式による通信に切り替える、通常状態移行ステップ、
を実行させるためのプログラム。
【発明の詳細な説明】
【技術分野】
【０００１】
この発明は、電子時計等の電子機器、電子機器の制御方法及びプログラムに関する。
【背景技術】
【０００２】
スマートウォッチ等の高機能で小型の電子機器が普及してきている。高機能な電子機器は消費電力が大きく、また、電池電圧が低下すると計時機能のような基本的な機能を含め、全ての機能が停止してしまう。そこで、例えば特許文献１に開示されている電子時計では、二次電池の電圧に応じた機能制限を行うことによって基本機能（計時機能等）を長時間維持できるようにしている。
【先行技術文献】
【特許文献】
【０００３】
【特許文献１】特開２０１６−１６１３２４号公報
【発明の概要】
【発明が解決しようとする課題】
【０００４】
特許文献１に開示されている電子時計は、二次電池の電圧に応じた機能制限を行うことによって基本機能を長時間維持できるようにしている。しかし、当該電子時計は、二次電池の電圧降下が生じるまでの間は機能制限が行われずに電力を多く消費する。したがって、ユーザが基本機能以外の機能を使用しようとした時には既に二次電池の電圧降下が生じている場合も考えられ、このような場合、結局ユーザは基本機能以外の機能を使用できない。
【０００５】
本発明は、上記実情に鑑みてなされたものであり、ユーザに機能制限を感じさせずに電池寿命を長期化させることが可能な電子機器、制御方法及びプログラムを提供することを目的とする。
【課題を解決するための手段】
【０００６】
上記目的を達成するため、本発明に係る電子機器は、
第１表示部と、
前記第１表示部より消費電力の低い第２表示部と、
第１制御部と、
前記第１制御部より消費電力の低い第２制御部と、
第１の通信方式と、前記第１の通信方式より低消費電力で通信可能な第２の通信方式と、に対応した通信部と、
ユーザの操作を取得すると、消費電力を抑えるスリープ状態から前記第１制御部を復帰させるウェイクアップ信号を送信する操作取得部と、
前記通信部との接続先を前記第１制御部又は前記第２制御部のいずれかに切り替えるスイッチ部と、を備え、
前記スイッチ部は、
消費電力を抑える動作状態である電力抑制状態への移行の条件が満たされると、前記通信部と前記第２制御部とを接続し、
通常の動作状態である通常状態への移行の条件が満たされると、前記通信部と前記第１制御部とを接続する。
【発明の効果】
【０００７】
本発明によれば、ユーザに機能制限を感じさせずに電池寿命を長期化させることが可能になる。
【図面の簡単な説明】
【０００８】
【図１】第１の実施形態に係る電子時計の構成例を示す図である。
【図２】第１の実施形態に係るプロトコルスタックを説明する図である。
【図３】第１の実施形態に係る電子機器システムの構成例を示す図である。
【図４】第１の実施形態に係る通常動作状態と低消費電力動作状態とを比較する図である。
【図５】第１の実施形態に係る第１表示部と第２表示部の構造を説明する図である。
【図６】第１の実施形態に係る低消費電力動作状態移行処理のフローチャートである。
【図７】第１の実施形態に係る通常動作状態移行処理のフローチャートである。
【図８】第１の実施形態に係る動作状態切替処理のフローチャートである。
【図９】第２の実施形態に係るプロトコルスタックを説明する図である。
【図１０】第２の実施形態に係る低消費電力動作状態移行処理のフローチャートである。
【図１１】第２の実施形態に係る通常動作状態移行処理のフローチャートである。
【図１２】第３の実施形態に係るプロトコルスタックを説明する図である。
【発明を実施するための形態】
【０００９】
以下、実施形態について、図面を参照して説明する。なお、図中同一または相当部分には同一符号を付す。
【００１０】
（第１の実施形態）
第１の実施形態に係る電子機器の一例である電子時計１００は、図１に示すように、機能構成として、第１制御部１１０と、第２制御部１２０と、通信部１３１と、第１表示部１３２と、第１操作部１３３と、第２操作部１３４と、第２表示部１３６と、センサ部１３７と、通知部１３８と、電源制御部１４０と、電池１４１と、を備える。
【００１１】
また、第１制御部１１０は、プロセッサ１１１と、メモリ１１２と、計時回路１１３と、を備える。第１制御部１１０は、自分自身をスリープさせて電力消費を抑える機能を持つ。スリープした第１制御部１１０は、基本的には動作を停止しているが、外部から割り込み信号（ウェイクアップ信号）を受信するとスリープ状態から復帰してアクティブ状態になり、動作を開始する。
【００１２】
プロセッサ１１１は、Ａｎｄｒｏｉｄ等の高機能ＯＳ（Ｏｐｅｒａｔｉｎｇ  Ｓｙｓｔｅｍ）を実装可能な処理能力の高い（例えば動作周波数１ＧＨｚの６４ビットの）ＣＰＵ（Ｃｅｎｔｒａｌ  Ｐｒｏｃｅｓｓｉｎｇ  Ｕｎｉｔ）である。
【００１３】
メモリ１１２は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等からなり、電子時計１００の全ての機能を実現するために必要となる容量の大部分をまかなうことができる容量のメモリである。なお、メモリ１１２は、第１制御部１１０の内部に限られず、第１制御部１１０の外部に設けられてもよい。
【００１４】
計時回路１１３は、電子時計１００が表示する時刻を計時する。なお、計時回路１１３は、所定の時間（例えば１秒）毎にメモリ１１２に記憶させる値を変化させるソフトウェアにより構成されてもよいし、あるいは、専用のハードウェアにより構成されてもよい。計時回路１１３が計時する時刻は、所定のタイミングからの累積時間、ＵＴＣ（Ｃｏｏｒｄｉｎａｔｅｄ  Ｕｎｉｖｅｒｓａｌ  Ｔｉｍｅ、協定世界時）、ＪＳＴ（Ｊａｐａｎ  Ｓｔａｎｄａｒｄ  Ｔｉｍｅ、日本標準時）等の各地の標準時、又は予め設定された都市の時刻（地方時）等のうち何れであってもよい。また、この計時回路１１３が計時する時刻は、必ずしも年月日時分秒の形式でなくてもよい。なお、計時回路１１３は、第１制御部１１０の内部に限られず、第１制御部１１０の外部に設けられてもよい。
【００１５】
第２制御部１２０は、プロセッサ１２１と、メモリ１２２と、電子時計１００の時刻を計時する計時回路１２３と、を備える。
【００１６】
プロセッサ１２１は、プロセッサ１１１と比較して、低機能で速度が遅い（例えば動作周波数１６ＭＨｚの１６ビットの）ＣＰＵである。そのため、プロセッサ１２１は高機能ＯＳには向かない。反面、プロセッサ１２１は、プロセッサ１１１よりも低消費電力である。また、プロセッサ１２１は、間欠動作が可能であり、例えば間欠動作により、１秒に１回ずつ短時間だけ動作させるようにすることで、プロセッサ１１１よりも格段に低消費電力で動作させることが可能である。
【００１７】
メモリ１２２は、ＲＡＭ、ＲＯＭ等からなり、プロセッサ１２１の動作に必要な容量のメモリである。なお、メモリ１２２及び計時回路１２３は、第２制御部１２０の内部に限られず、第２制御部１２０の外部に設けられてもよい。例えば、第１制御部１１０の内部のメモリ１１２の全体又は一部をメモリ１２２として第２制御部１２０から使用可能な構成にしてもよい。また、メモリ１１２もメモリ１２２も外部の同一のメモリで、その同一のメモリを第１制御部１１０と第２制御部１２０とが共用するような構成にしてもよい。
【００１８】
計時回路１２３は、計時回路１１３と同様に、電子時計１００が表示する時刻を計時する。また、計時回路１１３と同様に、ソフトウェアにより構成されてもよいし、専用のハードウェアにより構成されてもよい。計時回路１２３が計時する時刻の種類や形式は、計時回路１１３と同様に任意である。なお、計時回路１２３は、第２制御部１２０の内部に限られず、第２制御部１２０の外部に設けられてもよい。また、計時回路１１３も計時回路１２３も外部の同一の計時回路で、その同一の計時回路を第１制御部１１０と第２制御部１２０とが共用するような構成にしてもよい。
【００１９】
通信部１３１は、他の装置（例えばスマートフォン）と無線通信するためのデバイスである。そして、通信部１３１は、高速な通信が可能な第１の通信方式（例えば、Ｓｅｒｉａｌ  Ｐｏｒｔ  ＰｒｏｆｉｌｅによるＢｌｕｅｔｏｏｔｈ（登録商標）  Ｃｌａｓｓｉｃの通信規格に対応した通信方式）と、第１の通信方式よりも消費電力が低い第２の通信方式（例えば、Ｇｅｎｅｒａｌ  Ａｔｔｒｉｂｕｔｅ  ＰｒｏｆｉｌｅによるＢｌｕｅｔｏｏｔｈ（登録商標）  Ｌｏｗ  Ｅｎｅｒｇｙ（以下、ＢＬＥという。）の通信規格に対応した通信方式）と、に対応した通信デバイスである。
【００２０】
通信部１３１と、第１制御部１１０及び第２制御部１２０との間の通信は例えばＵＡＲＴ（Ｕｎｉｖｅｒｓａｌ  Ａｓｙｎｃｈｒｏｎｏｕｓ  Ｒｅｃｅｉｖｅｒ／Ｔｒａｎｓｍｉｔｔｅｒ）で行う。本実施の形態ではこの通信ラインには、通信部１３１の接続先を、第１制御部１１０と第２制御部１２０のいずれかに切り替えるスイッチ部１３５が挿入されている。ただし、例えば、第１制御部１１０の通信部１３１との接続端子の設定を、第１制御部１１０がスリープ状態の時には入力又はハイインピーダンスに、第１制御部１１０がアクティブ状態の時にはＵＡＲＴに設定し、第２制御部１２０の通信部１３１との接続端子の設定を、第１制御部１１０がスリープ状態の時にはＵＡＲＴに、第１制御部１１０がアクティブ状態の時には入力又はハイインピーダンスに設定することにより、スイッチ部１３５を介さずに、通信部１３１と第１制御部１１０及び第２制御部１２０とを通信ラインで結線することができる。
【００２１】
第１表示部１３２は、カラー表示が可能な高精細ディスプレイであり、例えば、カラー高精細ＬＣＤ（Ｌｉｑｕｉｄ  Ｃｒｙｓｔａｌ  Ｄｉｓｐｌａｙ）である。ただし、第１表示部１３２はＬＣＤに限定されるものではなく、例えばＥＬ（Ｅｌｅｃｔｒｏ−Ｌｕｍｉｎｅｓｃｅｎｃｅ）等でもよい。第１表示部１３２は、高精細な時刻の表示や、高機能ＯＳのアプリケーションソフトが実行されることによる画面の表示を行う。
【００２２】
第１操作部１３３は、第１表示部１３２及び第２表示部１３６の上に重ねて備えられたタッチパネルモジュールを備える。第１操作部１３３は、タッチパネルモジュールによりユーザからの入力操作を受け付けて、当該入力操作に応じた電気信号を入力信号として第１制御部１１０に送る。例えば、ユーザが電子時計１００のディスプレイにタッチすると、第１操作部１３３は、割り込み信号（ウェイクアップ信号）を発生させて、ディスプレイにタッチされたことを第１制御部１１０に通知する。そして、当該タッチパネルモジュールへのユーザの接触動作に係る接触位置や接触態様を検出し、検出された接触位置や接触態様に応じた操作信号を第１制御部１１０に送る。第１表示部１３２と第１操作部１３３とにより、高機能ＯＳのＵＩ（Ｕｓｅｒ  Ｉｎｔｅｒｆａｃｅ）が実現される。第１操作部１３３は、ユーザの操作を取得する操作取得部として機能する。
【００２３】
第２操作部１３４は、竜頭やボタンを備える。第２操作部１３４は、竜頭やボタンによりユーザからの入力操作を受け付けて、当該入力操作に応じた電気信号を入力信号として第１制御部１１０及び第２制御部１２０に送る。例えば、第２操作部１３４は、竜頭やボタンによりユーザからの時刻合わせや表示切り替え等の指示を受け付けて、当該指示を第１制御部１１０及び第２制御部１２０に送る。
【００２４】
なお、図１では、第１操作部１３３は第１制御部１１０のみに接続され、第２操作部１３４は第１制御部１１０及び第２制御部１２０に接続されているが、これはあくまでも一例であり、接続先がこの例に限定されるものではない。例えば、第１操作部１３３が第１制御部１１０及び第２制御部１２０に接続されていてもよいし、第２制御部１２０のみに接続されていてもよい。また、第２操作部１３４が第１制御部１１０のみ又は第２制御部１２０のみに接続されていてもよい。
【００２５】
第２表示部１３６は、例えばＬＣＤによるモノクロのセグメント等のディスプレイである。第２表示部１３６は、第１表示部１３２よりも消費電力が低い。第２表示部１３６は、セグメント等により、時刻その他の情報を表示することができる。
【００２６】
センサ部１３７は、加速度センサ、地磁気センサ、気圧センサ等のセンサ類を備える。センサ部１３７が検知した情報に基づき、第２制御部１２０は、電子時計１００の動き、向き、高度等の情報を取得することができる。
【００２７】
通知部１３８は、ブザーやバイブレーションモーター（振動モーター）を備える。通知部１３８は、ブザーを鳴らしたり、バイブレーションモーターで電子時計１００を振動させたりすることにより、例えばアラーム設定した時刻になったことや、何らかのメッセージを受信したこと等をユーザに通知することができる。
【００２８】
電源制御部１４０は、電池１４１からの電源電圧を所望の電圧に変換し、電子時計１００の内部の各デバイスに電力を供給する。電源制御部１４０は、第１制御部１１０及び第２制御部１２０からの指示により、各デバイスに供給する電源（電力供給）のＯＮ／ＯＦＦを行うことが可能である。
【００２９】
以上、電子時計１００の機能構成について説明した。次に、図２を参照して各通信方式のプロトコルスタックについて説明する。第１の通信方式は、図２の左側に示すように、Ｐｈｙｓｉｃａｌ  Ｌａｙｅｒ→Ｌｉｎｋ  Ｍａｎａｇｅｒ→Ｌ２ＣＡＰ（Ｌｏｇｉｃａｌ  Ｌｉｎｋ Ｃｏｎｔｒｏｌ  ＆  Ａｄａｐｔｉｏｎ  Ｐｒｏｔｏｃｏｌ）→ＲＦＣＯＭＭ（Ｒａｄｉｏ  Ｆｒｅｑｕｅｎｃｙ  ＣＯＭＭｕｎｉｃａｔｉｏｎ）  Ｐｒｏｔｏｃｏｌｓ→Ｓｅｒｉａｌ  Ｐｏｒｔ  Ｐｒｏｆｉｌｅの処理ルート１により通信を実現する。これらのうち、Ｐｈｙｓｉｃａｌ  Ｌａｙｅｒ及びＬｉｎｋ  Ｍａｎａｇｅｒは通信部１３１に実装されている。また、Ｌ２ＣＡＰ、ＲＦＣＯＭＭ  Ｐｒｏｔｏｃｏｌｓ及びＳｅｒｉａｌ  Ｐｏｒｔ  Ｐｒｏｆｉｌｅは第１制御部１１０に実装されている。
【００３０】
第２の通信方式は、図２の右側に示すように、Ｐｈｙｓｉｃａｌ  Ｌａｙｅｒ→Ｌｉｎｋ  Ｌａｙｅｒ→Ｌ２ＣＡＰ→Ａｔｔｒｉｂｕｔｅ  Ｐｒｏｔｏｃｏｌｓ→Ｇｅｎｅｒａｌ  Ａｔｔｒｉｂｕｔｅ  Ｐｒｏｆｉｌｅの処理ルート２により通信を実現する。これらのうち、Ｐｈｙｓｉｃａｌ  Ｌａｙｅｒ及びＬｉｎｋ  Ｌａｙｅｒは通信部１３１に実装されている。また、Ｌ２ＣＡＰ、Ａｔｔｒｉｂｕｔｅ  Ｐｒｏｔｏｃｏｌｓ及びＧｅｎｅｒａｌ  Ａｔｔｒｉｂｕｔｅ  Ｐｒｏｆｉｌｅは第２制御部１２０に実装されている。
【００３１】
以上、各通信方式のプロトコルスタックについて説明した。電子時計１００は、図３に示すように、スマートフォン２００とともに、電子機器システム１を構成する。スマートフォン２００は、電子時計１００とＢｌｕｅｔｏｏｔｈ（登録商標）により無線通信接続している。このため、例えば、スマートフォン２００は、受信したメールをＢｌｕｅｔｏｏｔｈ（登録商標）により電子時計１００に送信することができる。
【００３２】
そして、電子時計１００は、上述の高機能ＯＳの上では、高速通信可能な第１の通信方式を用いることによって、スマートフォン２００から送信されたメールを、メール本文や添付ファイルも含め全て比較的短時間で受信することができ、また、高機能ＯＳの機能を用いることで、例えば、メール本文、又は、メール本文及び添付ファイル等を全て表示することができる。したがって、この場合は、ユーザはスマートフォン２００を確認せずとも、当該メールを電子時計１００で確認することができる。
【００３３】
しかし、電子時計１００は、消費電力を抑えるために、第１制御部１１０を停止（スリープ等）させて第２制御部１２０で処理を行い、また、第１の通信方式を用いずに第２の通信方式を用いる場合がある。上述のように、第２制御部１２０のプロセッサ１２１は、高機能ＯＳの実装には向かず、また、第２の通信方式の通信速度は遅い。したがって、電子時計１００が消費電力を抑えている場合には、電子時計１００はプロセッサ１２１の処理速度や第２の通信方式の通信速度を考慮し、メール本文等を全て受信したりせずに最小限の通信に抑え、電子時計１００をより低消費電力にすることもできる。
【００３４】
したがって、この場合、電子時計１００では、プロセッサ１２１により、メールの着信があったことを示すメール着信アイコンを表示する。もっとも、プロセッサ１２１でどの程度の機能を提供するかは任意であり、この場合に電子時計１００は、メール着信アイコンの表示の代わりに、又は、メール着信アイコンの表示に加えて、メールの送信元や件名を表示するようにしてもよい。電子時計１００と第２の通信方式で接続している際に、スマートフォン２００がどのような通知信号を電子時計１００に送信するかについては、予めスマートフォン２００に設定されているものとする。
【００３５】
このように、電子時計１００は、プロセッサ１１１が動作している場合は、電子時計１００の全機能を実行することができるが、プロセッサ１１１が動作していない場合には、
当該全機能の中の一部の限定された機能（例えば、時計機能、メール着信アイコン表示機能、歩数機能、生体情報（脈拍等）検知機能等。以下、限定機能という。）のみを実行することができるにとどまる。ただし、限定機能だけを実行できればよい場合は、プロセッサ１１１を動作させる必要がない（プロセッサ１１１をスリープ状態又は電源ＯＦＦ状態にすることが可能）ので、電子時計１００の消費電力は低い値に抑えられる。
【００３６】
電子時計１００の、このような２種類の動作状態について、図４を参照して説明する。ここでは、電子時計１００のプロセッサ１１１（メインＣＰＵ）が動作している動作状態を通常動作状態という。また、プロセッサ１１１が動作していない（プロセッサとしては、プロセッサ１２１（サブＣＰＵ）のみが動作している）動作状態を低消費電力動作状態という。また、低消費電力動作状態のことを電力抑制状態ともいう。
【００３７】
低消費電力動作状態では、第２制御部１２０、第１操作部１３３、第２操作部１３４、第２の通信方式での通信部１３１、第２表示部１３６、センサ部１３７、通知部１３８及び電源制御部１４０が動作する。そして、図４に示すように、第２表示部１３６によるモノクロのセグメントでの時刻表示が行われる。また、第２の通信方式での通信部１３１により、低速ながらＢＬＥの低消費電力での通信を行うことができる。そして、低消費電力のプロセッサ１２１と低機能ＯＳの上で限定機能の処理が可能である。機能が限定される代わりに、ハードウェアとして、プロセッサ１２１、ＢＬＥ、モノクロセグメントＬＣＤでの動作となるため、電子時計１００の電力消費は小さくなる。
【００３８】
また、通常動作状態では、低消費電力動作状態で動作しているハードウェアに加え、第１制御部１１０及び第１表示部１３２が動作し、通信部１３１は第１の通信方式で動作する。ただし、通常動作状態では、第２表示部１３６は、スリープ状態又は電源ＯＦＦ状態であってもよい。そして、通常動作状態では、図４に示すように、第１表示部１３２による高精細カラーの表示が行われる。また、第１の通信方式での通信部１３１により、Ｂｌｕｅｔｏｏｔｈ（登録商標）  Ｃｌａｓｓｉｃの高速な通信を行うことができる。そして、高速なプロセッサ１１１と高機能ＯＳの上で電子時計１００の全機能の処理が可能である。ただし、ハードウェアとして、プロセッサ１１１、Ｂｌｕｅｔｏｏｔｈ（登録商標）  Ｃｌａｓｓｉｃ、カラー高精細ＬＣＤでの動作となるため、電子時計１００の電力消費は低消費電力動作状態に比べて大きくなる。
【００３９】
なお、図４の「表示例」を見ると分かるように、通常動作状態ではモノクロセグメントＬＣＤでの表示は見えず、低消費電力動作状態ではカラー高精細ＬＣＤでの表示は見えない。これは、図５に示すように、電子時計１００は、表示部が第１表示部１３２の上に第２表示部１３６を重ね合わせた構造になっており、通常動作状態時に第２表示部１３６の表示を透過状態にすることにより実現される。通常動作状態時は、第２表示部１３６が透過状態になるので、目Ｅから見ると、第１表示部１３２の表示だけが見えることになる。また、低消費電力動作状態時は、第１表示部１３２は駆動されていないため、目Ｅから見ると、第２表示部１３６の表示だけが見えることになる。このような構成にすることにより、電子時計１００は、ユーザが所望する情報の表示と、消費電力の削減とを両立させることができる。
【００４０】
電子時計１００は、上述の２種類の動作状態を状況に応じて切り替えて動作している。通常動作状態から低消費電力動作状態に切り替えられる状況の例としては、ユーザ操作がない状態が所定時間（例えば５秒、１０秒、１分等、ユーザ等により設定された時間）継続している状況がある。また、低消費電力動作状態から通常動作状態へと切り替えられる状況の例としては、ユーザが電子時計１００のタッチパネルを操作した状況や、スマートフォン２００から電話を着信したことを示す通知信号を受信した状況がある。
【００４１】
次に、電子時計１００が、通常動作状態から低消費電力動作状態に切り替える際の処理（低消費電力動作状態移行処理）について、図６を参照して説明する。
【００４２】
まず、第１制御部１１０は、計時回路１１３が計時している時刻情報と、通信部１３１の第１の通信方式での通信状態の情報（通信相手との接続情報等）と、を取得する（ステップＳ１１１）。そして、当該時刻情報及び通信状態の情報とともに、低消費電力動作状態に移行することを知らせる通知（電力抑制通知）を第２制御部１２０に送信する（ステップＳ１１２）。
【００４３】
そして、第１制御部１１０は、第１表示部１３２をスリープ状態に移行させ（ステップＳ１１３）、自制御部（第１制御部１１０）もスリープ状態に移行させる（ステップＳ１１４）。
【００４４】
一方、第２制御部１２０は、通常動作状態においては、第１制御部１１０から電力抑制通知が送信されるのを待ち続けている（ステップＳ１２１）。第２制御部１２０は、電力抑制通知を受信しなければ（ステップＳ１２１；Ｎｏ）、ステップＳ１２１に戻る。また、第２制御部１２０は、電力抑制通知を受信したら（ステップＳ１２１；Ｙｅｓ）、当該通知に含まれる時刻情報に基づき計時回路１２３の計時する時刻情報を計時回路１１３の計時していた時刻に同期させる（ステップＳ１２２）。
【００４５】
そして第２制御部１２０は、スイッチ部１３５を切り替えて第２制御部１２０と通信部１３１とを接続し、電力抑制通知に含まれる通信状態の情報に基づき、第１制御部１１０が通信部１３１を介して第１の通信方式で通信していた相手との通信を第２の通信方式で再開可能にする（ステップＳ１２３）。そして、低消費電力動作状態移行処理を終了する。なお、ステップＳ１２２とステップＳ１２３の処理の順番は任意であり、ステップＳ１２３の処理を行ってからステップＳ１２２の処理を行ってもよい。また、スイッチ部１３５の切り替えは、第１制御部１１０がステップＳ１１１とステップＳ１１２の間で行ってもよい。
【００４６】
以上の低消費電力動作状態移行処理により、電子時計１００は、通常動作状態から低消費電力動作状態に切り替わる。低消費電力動作状態移行処理は、電力抑制移行ステップとも呼ばれる。なお、第１の通信方式での通信状態の情報に基づいて第２の通信方式での通信を再開するのは困難な場合も考えられる。このような場合は、ステップＳ１１１で通信相手との通信を一度切断し、ステップＳ１２３で当該通信相手と再度接続する処理を行う。
【００４７】
次に、電子時計１００が、低消費電力動作状態から通常動作状態に切り替える際の処理（通常動作状態移行処理）について、図７を参照して説明する。
【００４８】
まず、第２制御部１２０は、第１制御部１１０に割り込み信号（ウェイクアップ信号）を送信して第１制御部１１０をスリープ状態から復帰させる（ステップＳ２２１）。なお、低消費電力動作状態から通常動作状態への切り替えは、ユーザが第１操作部１３３（タッチパネル）をタッチした際にも行われるが、この場合は、第１操作部１３３が第１制御部１１０に割り込み信号（ウェイクアップ信号）を送信し、第１制御部１１０をスリープ状態から復帰させる。そして、第１操作部１３３からの割り込み信号でスリープ状態から復帰した第１制御部１１０は、第２制御部１２０に対して後述する通常移行通知を送信するように依頼する通知（送信依頼通知）を送信する。そして、当該送信依頼通知を受信した第２制御部１２０は、通常動作状態移行処理のステップＳ２２２から処理を開始する。
【００４９】
第１制御部１１０に割り込み信号を送信した第２制御部１２０、又は、第１制御部１１０から送信依頼通知を受信した第２制御部１２０は、計時回路１２３が計時している時刻情報と、通信部１３１の第２の通信方式での通信状態の情報（通信相手との接続情報等）と、を取得する（ステップＳ２２２）。
【００５０】
そして、第２制御部１２０は、当該時刻情報及び通信状態の情報とともに、通常動作状態に移行することを知らせる通知（通常移行通知）を第１制御部１１０に送信する（ステップＳ２２３）。そして、第２制御部１２０は、第２表示部１３６を透過状態にする（ステップＳ２２４）。
【００５１】
一方、第１制御部１１０は割り込み信号（ウェイクアップ信号）を受信するとスリープ状態から復帰し、通常動作状態移行処理を開始する。そして、第２制御部１２０から通常移行通知が送信されるのを待つ（ステップＳ２１１）。第１制御部１１０は通常移行通知を受信しなければ（ステップＳ２１１；Ｎｏ）、ステップＳ２１１に戻る。また、第１制御部１１０は、通常移行通知を受信したら（ステップＳ２１１；Ｙｅｓ）、当該通知に含まれる時刻情報に基づき、計時回路１１３の計時する時刻情報を計時回路１２３の計時していた時刻に同期させる（ステップＳ２１２）。
【００５２】
そして、第１制御部１１０は、スイッチ部１３５を切り替えて第１制御部１１０と通信部１３１とを接続し、電力抑制通知に含まれる通信状態の情報に基づき、第２制御部１２０が通信部１３１を介して第２の通信方式で通信していた相手との通信を第１の通信方式で再開可能にする（ステップＳ２１３）。そして、通常動作状態移行処理を終了する。なお、ステップＳ２１２とステップＳ２１３の処理の順番は任意であり、ステップＳ２１３の処理を行ってからステップＳ２１２の処理を行ってもよい。また、スイッチ部１３５の切り替えは、第２制御部１２０がステップＳ２２２とステップＳ２２３の間で行ってもよい。
【００５３】
以上の通常動作状態移行処理により、電子時計１００は、低消費電力動作状態から通常動作状態に切り替わる。通常動作状態移行処理は、通常状態移行ステップとも呼ばれる。なお、第２の通信方式での通信状態の情報に基づいて第１の通信方式での通信を再開するのは困難な場合も考えられる。このような場合は、ステップＳ２２２で通信相手との通信を一度切断し、ステップＳ２１３で当該通信相手と再度接続する処理を行う。
【００５４】
次に、電子時計１００の動作状態を状況に応じて切り替える処理である動作状態切替処理について図８を参照して説明する。動作状態切替処理は、電子時計１００が起動すると、１つのスレッドとして起動し、他のスレッドと並行して処理が開始される。なお、図８では、電子時計１００は起動するとまず通常動作状態になることを想定している。もし、電子時計１００が起動するとまず低消費電力動作状態になるのであれば、動作状態切替処理は、ステップＳ１０３から開始されるようにすればよい。
【００５５】
第１制御部１１０は、第１操作部１３３及び第２操作部１３４からの信号に基づき、ユーザ操作がない状態が所定時間（例えば３秒）継続したか否かを判定する（ステップＳ１０１）。ユーザ操作がない状態が所定時間以上継続していなければ（ステップＳ１０１；Ｎｏ）、ステップＳ１０１に戻る。
【００５６】
ユーザ操作がない状態が所定時間以上継続していれば（ステップＳ１０１；Ｙｅｓ）、第１制御部１１０及び第２制御部１２０は、上述した低消費電力動作状態移行処理を行い、電子時計１００は、低消費電力動作状態へ移行する（ステップＳ１０２）。
【００５７】
次に、第２制御部１２０は、通信部１３１が第２の通信方式でスマートフォン２００から通知信号を受信したか否かを判定する（ステップＳ１０３）。通知信号とは、例えば、スマートフォン２００が電話やメールを着信したことを通知する信号である。通知信号を受信していなければ（ステップＳ１０３；Ｎｏ）、第１操作部１３３は、ユーザによるタッチパネルモジュールへのタッチを検出したかを判定する（ステップＳ１０４）。タッチを検出していなければ（ステップＳ１０４；Ｎｏ）、ステップＳ１０３に戻る。タッチを検出したら（ステップＳ１０４；Ｙｅｓ）、ステップＳ１０７に進む。
【００５８】
一方、ステップＳ１０３で通信部１３１が第２の通信方式で通知信号を受信していれば（ステップＳ１０３；Ｙｅｓ）、第２制御部１２０は、当該通知信号に高優先度を示す情報が含まれるか否かを判定する（ステップＳ１０５）。優先度は、ユーザ、メール送信者、電子機器システム１等により予め設定されている。例えば、電話の着信を知らせる通知信号や、ユーザが優先度を高く設定した送信者からのメールの通知信号には、高優先度を示す情報が含まれる。ステップＳ１０５において、第２制御部１２０は、優先度取得部として機能する。
【００５９】
当該通知信号に高優先度を示す情報が含まれなければ（ステップＳ１０５；Ｎｏ）、第２制御部１２０は、第２表示部１３６にアイコンを表示し（ステップＳ１０６）、ステップＳ１０３に戻る。ここで、アイコンとは、例えばメールの着信を示す図柄であり、第２表示部１３６には、アイコンの各図柄がセグメントにより設定されているものとする。
【００６０】
当該通知信号に高優先度を示す情報が含まれていれば（ステップＳ１０５；Ｙｅｓ）、第２制御部１２０は、上述した通常動作状態移行処理を行い、第１制御部１１０をスリープ状態から復帰させ、電子時計１００は、通常動作状態へ移行する（ステップＳ１０７）。そして、第１制御部１１０は、通信部１３１による第１の通信方式でスマートフォン２００とデータ通信を開始し（ステップＳ１０８）、ユーザの指示に従って、メール本文の受信等を行う。そして、ステップＳ１０１に戻る。
【００６１】
以上、動作状態切替処理について説明した。以上説明した動作状態切替処理により、電子時計１００は、できるだけ長い時間、低消費電力動作状態で動作しつつ、ユーザが限定機能以外の機能を実行しようとした時にはすぐに通常動作状態に移行する。したがって、電子時計１００は、ユーザに機能が限定されている状態であることを意識させることなく、電池寿命を長時間化させることができる。
【００６２】
なお、図８に示す上述の動作状態切替処理では、説明が煩雑になるのを防ぐために、低消費電力動作状態から通常動作状態への移行のトリガーとして、通知信号の受信判定（ステップＳ１０３）と、タッチの検出判定（ステップＳ１０４）のみを行っているが、これらに限られない。例えば、歩数等の情報をユーザがカラーディスプレイ（第１表示部１３２）で確認しようとして、手首の動きによって（ジェスチャー動作によって）カラーディスプレイを表示させるような場合も含まれる。この場合は、第２制御部１２０は、センサ部１３７が備える加速度センサの検出値等に基づいてジェスチャー動作を判定し、ジェスチャー動作が検出された場合には、ステップＳ１０７の処理に進む。このようにすることによって、電子時計１００は、ジェスチャー動作によっても通常動作状態に切り替わるので、低消費電力動作状態のせいでユーザに操作上の違和感を与える心配をより少なくすることができる。
【００６３】
また、予め、ユーザが「常にアイコン表示希望（電子時計１００ができるだけ長い時間、低消費電力動作状態（電力抑制状態）を維持することを希望）」であるか否かの設定を行っておき、図８のステップＳ１０５の直前で、第２制御部１２０が「ユーザによる設定は、常にアイコン表示希望であるか？」を判定する変形例も考えられる。この変形例では、当該判定がＹｅｓならステップＳ１０６に、ＮｏならステップＳ１０５に、それぞれ進むことになる。当該判定をする際、第２制御部１２０は、ユーザ設定取得部として機能する。
【００６４】
この変形例では、ユーザが「常にアイコン表示希望」という設定を行っている場合は、スマートフォン２００から送信された通知信号を受信しても、電子時計１００はアイコン表示を行う低消費電力動作状態を維持し、ユーザによるタッチ操作やジェスチャー動作が検出されて初めてステップＳ１０７の処理に進む。このようにすることによって、ユーザ自らが通常動作状態への切り替えをしない限り、電子時計１００は、低消費電力動作状態を維持することができ、その分、さらに電池寿命を長期化させることができる。
【００６５】
また、図８に示す上述の動作状態切替処理では、説明を省略したが、ステップＳ１０７で通常状態に移行する際、第２制御部１２０は、通知部１３８を制御して、ユーザに通常状態への移行を通知してもよい。例えば所定の音を鳴らしたり、所定の振動パターンで電子時計１００を振動させたりさせることが考えられる。同様に、ステップＳ１０６で第２表示部１３６にアイコンを表示する際も、第２制御部１２０は、通知部１３８を制御して、ユーザにアイコンが表示されたことを通知してもよい。このようにすることにより、低消費電力動作状態で動作している場合でも、ユーザにすぐに通知しなければならない情報を受信した際には、当該情報をすぐにユーザに通知することができる。
【００６６】
（第２の実施形態）
第１の実施形態では、低消費電力動作状態では、通信部１３１は電力消費を抑えるために第２の通信方式で通信する。しかし、通信部１３１が第１の通信方式で通信しても、第１制御部１１０や第１表示部１３２がスリープ状態になれば、電子時計１００の消費電力はかなり低減させることができる。そこで、低消費電力動作状態でも、通信部１３１が第１の通信方式で通信することが可能な第２の実施形態について説明する。
【００６７】
第２の実施形態に係る電子時計１００の機能構成は、第１の実施形態に係る電子時計１００の機能構成と同じである。ただし、各通信方式のプロトコルスタックの実装は、図９に示すように、第１の実施形態での実装に加え、第２制御部１２０にＬ２ＣＡＰ、ＲＦＣＯＭＭ  Ｐｒｏｔｏｃｏｌｓ及びＳｅｒｉａｌ  Ｐｏｒｔ  Ｐｒｏｆｉｌｅも実装されている。この結果、第２制御部１２０は、第１の通信方式による通信（処理ルート２−１）も、第２の通信方式による通信（処理ルート２−２）も、可能になる。
【００６８】
第２の実施形態に係る低消費電力動作状態移行処理は図１０に示すように、第１の実施形態に係る低消費電力動作状態移行処理（図６）にステップＳ１１５及びステップＳ１２７が追加され、ステップＳ１２３がステップＳ１２６に置き換わった処理になっている。これら以外は、第１の実施形態に係る低消費電力動作状態移行処理（図６）と同じなので、これら異なる点について説明する。
【００６９】
まず、第１制御部１１０は、プロトコルスタックの処理の主体を第１制御部１１０から第２制御部１２０に切り替えるので通信を一時的に停止して欲しい旨（通信一時停止依頼）をスマートフォン２００に、送信する（ステップＳ１１５）。
【００７０】
そして、第２制御部１２０は、ステップＳ１２６で、スイッチ部１３５を切り替えて第２制御部１２０と通信部１３１とを接続し、電力抑制通知に含まれる通信状態の情報に基づき、第１制御部１１０が通信部１３１を介して通信していた相手との通信を第１の通信方式で再開可能にする。そして、第２制御部１２０は、通信を再開して欲しい旨（通信再開依頼）をスマートフォン２００に、送信する（ステップＳ１２７）。
【００７１】
このような処理を行うことにより、電子時計１００は、通信部１３１による通信の主体を第１制御部１１０から第２制御部１２０に切り替える処理をスムーズに行うことができる。
【００７２】
また、第２の実施形態に係る通常動作状態移行処理は図１１に示すように、第１の実施形態に係る通常動作状態移行処理（図７）にステップＳ２２５及びステップＳ２１４が追加された処理になっている。これら以外は、第１の実施形態に係る低消費電力動作状態移行処理（図７）と同じなので、これら異なる点について説明する。
【００７３】
第２制御部１２０は、プロトコルスタックの処理の主体を第２制御部１２０から第１制御部１１０に切り替えるので通信を一時的に停止して欲しい旨（通信一時停止依頼）をスマートフォン２００に、送信する（ステップＳ２２５）。なお、ステップＳ２２５は、ステップＳ２２１の前に行ってもよい。
【００７４】
そして、第１制御部１１０は、ステップＳ２１３で通信を再開可能にした後、通信を再開して欲しい旨（通信再開依頼）をスマートフォン２００に送信する（ステップＳ２１４）。
【００７５】
このような処理を行うことにより、電子時計１００は、通信部１３１による通信の主体を第２制御部１２０から第１制御部１１０に切り替える処理をスムーズに行うことができる。
【００７６】
第２の実施形態に係る動作状態切替処理は、第１の実施形態に係る動作状態切替処理（図８）と同じである。ただし、第２の実施形態では、低消費電力動作状態での通信方式は第２の通信方式だけでなく、第１の通信方式もありうるので、ステップＳ１０３では、通知信号は第２の通信方式で受信する場合もあれば、第１の通信方式で受信する場合もある。
【００７７】
第２の実施形態では、通常動作状態から低消費電力動作状態に移行する際に、必ずしも通信方式を変更する必要がない。このため、通信方式を変更しない場合は、第１制御部１１０で行っていたプロトコルスタックの処理（スマートフォン２００との通信処理）を第２制御部１２０で引き継いで実施することが可能になる。したがって、電子時計１００は、例えば、スマートフォン２００と通信中の場合は第１の通信方式を維持したまま低消費電力動作状態に移行し、通信中でない場合は第２の通信方式に変更して低消費電力動作状態に移行する等、よりきめ細やかな低消費電力制御が可能になる。
【００７８】
そして、第２の実施形態においても、動作状態切替処理は第１の実施形態と同様に行われるため、電子時計１００は、できるだけ長い時間、低消費電力動作状態で動作しつつ、ユーザが限定機能以外の機能を実行しようとした時にはすぐに通常動作状態に移行する。したがって、第２の実施形態においても、電子時計１００は、ユーザに機能が限定されている状態であることを意識させることなく、電池寿命を長時間化させることができる。
【００７９】
（第３の実施形態）
上述の実施形態ではＨｏｓｔ  Ｃｏｔｒｏｌｌｅｒ  Ｉｎｔｅｒｆａｃｅより上の上位レイヤーは第１制御部１１０や第２制御部１２０に実装されていた。しかし、これらの上位レイヤーを通信部１３１に実行することも可能である。このような第３の実施の形態について説明する。
【００８０】
第３の実施形態に係る電子時計１００の機能構成は、第１の実施形態に係る電子時計１００の機能構成と同じである。ただし、第３の実施形態に係る電子時計１００の通信部１３１には、図１２に示すように、Ｐｈｙｓｉｃａｌ  Ｌａｙｅｒ、Ｌｉｎｋ  Ｍａｎａｇｅｒ、Ｌｉｎｋ  Ｌａｙｅｒ、Ｌ２ＣＡＰ、ＲＦＣＯＭＭ  Ｐｒｏｔｏｃｏｌｓ、Ｓｅｒｉａｌ  Ｐｏｒｔ  Ｐｒｏｆｉｌｅ、Ａｔｔｒｉｂｕｔｅ  Ｐｒｏｔｏｃｏｌｓ及びＧｅｎｅｒａｌ  Ａｔｔｒｉｂｕｔｅ  Ｐｒｏｆｉｌｅが実装されている。
【００８１】
このため、第１の通信方式による通信も、第２の通信方式による通信も、通信部１３１のみで行うことができる。したがって、第３の実施形態に係る電子時計１００では、制御の主体を第１制御部１１０から第２制御部１２０に切り替える際も、逆に第２制御部１２０から第１制御部１１０に切り替える際も、通信部１３１で通信が行われている場合には、通信方式を切り替えずに、同一の通信方法での通信を継続することができる。
【００８２】
また、第１の通信方式による通信も、第２の通信方式による通信も、制御部の助けを借りることなく、通信部１３１のみで行うことができるので、制御部には通信部１３１で通信したデータを用いるアプリケーションソフトのみが実装されていればよいということになる。例えば、本実施形態では、図１２に示すように、第１制御部１１０には、通信部１３１で受信したデータを第１表示部に表示する表示処理が、また、第２制御部１２０には、通信部１３１で受信したデータを第２表示部に表示する表示処理が、それぞれ実装されている。
【００８３】
第３の実施形態では、通信部１３１に対して、第１制御部１１０又は第２制御部１２０が、用いる通信方式を第１の通信方式にするのか第２の通信方式にするのか指示することにより、通信方式を切り替えることができる。通信方式の切替処理がこのように単純化されている点以外は、第３の実施形態に係る電子時計１００は、各処理（低消費電力動作状態移行処理、通常動作状態移行処理、動作状態切替処理）を、第１の実施形態や第２の実施形態と同様に行うことができる。
【００８４】
第３の実施形態に係る電子時計１００では、通信部１３１にプロトコルスタックやプロファイルを実装することにより、第１の通信方式と第２の通信方式との切り替えをよりスムーズに行うことが可能になる。また、通信部１３１のみでプロトコルスタック等が実現されているため、制御の主体を切り替える際に通信部１３１で通信が行われている場合には、通信を中断して通信方式を切り替えるようなことをする必要はなく、同一の通信方法での通信を継続することができる。
【００８５】
そして、第３の実施形態に係る電子時計１００は、第１の実施形態に係る電子時計１００と同様の動作状態切替処理を行うことができるので、できるだけ長い時間、低消費電力動作状態で動作しつつ、ユーザが限定機能以外の機能を実行しようとした時にはすぐに通常動作状態に移行する。したがって、第３の実施形態に係る電子時計１００は、ユーザに機能が限定されている状態であることを意識させることなく、電池寿命を長時間化させることができる。
【００８６】
なお、本発明は、上述の実施形態に限られるものではなく、様々に組み合わせたり変更したりすることが可能である。
【００８７】
例えば、上述の実施形態では、通信部１３１が対応する第１の通信方式がＢｌｕｅｔｏｏｔｈ（登録商標）  Ｃｌａｓｓｉｃの通信規格に対応した通信方式で、第２の通信方式がＢＬＥの通信規格に対応した通信方式である例で説明したが、これに限られない。例えば、第１の通信方式がＩＥＥＥ８０２．１１ｎ等の高速無線ＬＡＮの通信規格に対応した通信方式で、第２の通信方式がＢｌｕｅｔｏｏｔｈ（登録商標）  Ｃｌａｓｓｉｃの通信規格に対応した通信方式であるような実施形態も考えられる。第２の通信方式の消費電力が第１の通信方式の消費電力よりも低くなるような関係であれば、要求仕様を満たす任意の通信方式を利用することができる。
【００８８】
また、第１表示部１３２と第２表示部１３６との関係も同様であり、第２表示部の消費電力が第１表示部の消費電力よりも低ければ、電子時計１００は、要求仕様を満たす任意の第１表示部１３２及び第２表示部１３６を利用することができる。同様に、第２制御部１２０の消費電力が第１制御部１１０の消費電力よりも低ければ、電子時計１００は、要求仕様を満たす任意の第１制御部１１０及び第２制御部１２０を利用することができる。
【００８９】
また、上述の実施形態では、第１制御部１１０及び第２制御部１２０を内蔵した電子機器の一例として電子時計１００を挙げて説明しているが、本発明は、電子時計に限られず、スマートウォッチ、スマートフォン、ウェアラブルデバイス等、能力が高く消費電力の大きな第１のデバイス群（第１制御部１１０、第１表示部１３２）及び処理方式（第１の通信方式）と、それらよりも能力は低いが消費電力の小さい第２のデバイス群（第２制御部１２０、第２表示部１３６）及び処理方式（第２の通信方式）と、を搭載する任意の電子機器に適用することができる。
【００９０】
また、第１制御部１１０及び第２制御部１２０が実行するプログラムは、例えば、フレキシブルディスク、ＣＤ（Ｃｏｍｐａｃｔ  Ｄｉｓｃ）−ＲＯＭ、ＤＶＤ（Ｄｉｇｉｔａｌ  Ｖｅｒｓａｔｉｌｅ  Ｄｉｓｃ）−ＲＯＭ、メモリカード等のコンピュータ読み取り可能な記憶媒体に格納して適用できる。さらに、プログラムを搬送波に重畳し、インターネット等の通信媒体を介して適用することもできる。例えば通信ネットワーク上の掲示板（ＢＢＳ：Ｂｕｌｌｅｔｉｎ  Ｂｏａｒｄ  Ｓｙｓｔｅｍ）にプログラムを掲示して配信してもよい。そして、このプログラムを起動し、ＯＳ（Ｏｐｅｒａｔｉｎｇ  Ｓｙｓｔｅｍ）の制御下で、他のアプリケーションプログラムと同様に実行することにより、上記の処理を実行できるように構成してもよい。
【００９１】
その他、上記実施の形態で示した構成、制御手順や表示例などの具体的な細部は、本発明の趣旨を逸脱しない範囲において適宜変更可能である。
【００９２】
本発明のいくつかの実施形態を説明したが、本発明の範囲は、上述の実施の形態に限定するものではなく、特許請求の範囲に記載された発明の範囲とその均等の範囲を含む。以下に、この出願の願書に最初に添付した特許請求の範囲に記載した発明を付記する。付記の番号は、この出願の願書に最初に添付した特許請求の範囲の通りである。
【００９３】
（付記１）
第１表示部と、
前記第１表示部より消費電力の低い第２表示部と、
第１制御部と、
前記第１制御部より消費電力の低い第２制御部と、
第１の通信方式と、前記第１の通信方式より低消費電力で通信可能な第２の通信方式と、に対応した通信部と、
ユーザの操作を取得すると、消費電力を抑えるスリープ状態から前記第１制御部を復帰させるウェイクアップ信号を送信する操作取得部と、
前記通信部との接続先を前記第１制御部又は前記第２制御部のいずれかに切り替えるスイッチ部と、を備え、
前記スイッチ部は、
消費電力を抑える動作状態である電力抑制状態への移行の条件が満たされると、前記通信部と前記第２制御部とを接続し、
通常の動作状態である通常状態への移行の条件が満たされると、前記通信部と前記第１制御部とを接続する、
電子機器。
【００９４】
（付記２）
前記第１制御部は、
前記電力抑制状態への移行の条件が満たされると、前記第２制御部に電力抑制通知を送信し、前記第１表示部での表示を停止し、前記スリープ状態に移行し、
前記第２制御部又は前記操作取得部から前記ウェイクアップ信号を受信すると前記スリープ状態から復帰し、前記第１表示部での表示を開始し、前記通信部での通信を前記第１の通信方式での通信に切り替え、
前記第２制御部は、
前記第１制御部から前記電力抑制通知を受信すると、前記第２表示部での表示を開始し、前記通信部での通信を前記第２の通信方式での通信に切り替え、
前記通常状態への移行の条件が満たされると、前記第１制御部に前記ウェイクアップ信号を送信し、前記第２表示部での表示を停止する、
付記１に記載の電子機器。
【００９５】
（付記３）
前記電力抑制状態への移行の条件には、所定の時間、前記操作取得部で前記操作が取得されないことが含まれる、
付記１又は２に記載の電子機器。
【００９６】
（付記４）
前記通常状態への移行の条件には、前記通信部で受信した情報が電話の着信を示す情報であることが含まれる、
付記１から３のいずれか１つに記載の電子機器。
【００９７】
（付記５）
さらに、前記通信部で受信した情報の優先度を取得する優先度取得部を備え、
前記通常状態への移行の条件には、前記優先度取得部が取得した優先度が高い前記情報を前記通信部で受信したことが含まれる、
付記１から４のいずれか１つに記載の電子機器。
【００９８】
（付記６）
前記第２制御部は、前記通信部で受信した情報の優先度が高くない場合、当該情報を受信したことを示すアイコンを前記第２表示部に表示する、
付記５に記載の電子機器。
【００９９】
（付記７）
さらに、加速度を検出する加速度センサを備え、
前記通常状態への移行の条件には、前記加速度センサが検出した値が所定の動きを示していると前記第２制御部が判定したことが含まれる、
付記１から６のいずれか１つに記載の電子機器。
【０１００】
（付記８）
さらに、前記ユーザが前記電力抑制状態の維持を希望するか否かの設定を取得するユーザ設定取得部を備え、
前記ユーザ設定取得部で取得した前記設定が、前記電力抑制状態の維持を希望するである場合は、前記第２制御部は、前記通信部で受信した情報が前記通常状態への移行の条件を満たす場合でも、前記第１制御部に前記ウェイクアップ信号を送信せず、前記第２表示部での表示と前記第２の通信方式での通信とを維持する、
付記１から７のいずれか１つに記載の電子機器。
【０１０１】
（付記９）
さらに、前記動作状態が切り替わることを振動又は音により前記ユーザに通知する通知部を備え、
前記第２制御部は、前記通常状態への移行の条件が満たされると、前記通知部により前記ユーザに通知する、
付記１から８のいずれか１つに記載の電子機器。
【０１０２】
（付記１０）
前記電力抑制状態への移行の条件が満たされた際に、前記通信部が前記第１の通信方式で通信を行っている場合には、前記第２制御部は、前記通信部での通信を前記第２の通信方式での通信に切り替えず、前記第１の通信方式での通信を継続する、
付記１から９のいずれか１つに記載の電子機器。
【０１０３】
（付記１１）
前記通常状態への移行の条件が満たされた際に、前記通信部が前記第２の通信方式で通信を行っている場合には、前記第１制御部は、前記通信部での通信を前記第１の通信方式での通信に切り替えず、前記第２の通信方式での通信を継続する、
付記１から１０のいずれか１つに記載の電子機器。
【０１０４】
（付記１２）
第１表示部と、前記第１表示部より消費電力の低い第２表示部と、第１制御部と、前記第１制御部より消費電力の低い第２制御部と、第１の通信方式と、前記第１の通信方式より低消費電力で通信可能な第２の通信方式と、に対応した通信部と、を備える電子機器の制御方法であって、
消費電力を抑える動作状態である電力抑制状態への移行の条件が満たされると、制御の主体を前記第２制御部に切り替え、前記第１表示部での表示を停止し、前記第１制御部を消費電力を抑えるスリープ状態に移行させ、前記第２表示部での表示を開始し、前記通信部での通信を前記第２の通信方式による通信に切り替える、電力抑制移行ステップと、
通常の動作状態である通常状態への移行の条件が満たされると、前記第１制御部を前記スリープ状態から復帰させて制御の主体を前記第１制御部に切り替え、前記第２表示部での表示を停止し、前記第１表示部での表示を開始し、前記通信部での通信を前記第１の通信方式による通信に切り替える、通常状態移行ステップと、
を備える制御方法。
【０１０５】
（付記１３）
第１表示部と、前記第１表示部より消費電力の低い第２表示部と、第１制御部と、前記第１制御部より消費電力の低い第２制御部と、第１の通信方式と、前記第１の通信方式より低消費電力で通信可能な第２の通信方式と、に対応した通信部と、を備える電子機器のコンピュータに、
消費電力を抑える動作状態である電力抑制状態への移行の条件が満たされると、制御の主体を前記第２制御部に切り替え、前記第１表示部での表示を停止し、前記第１制御部を消費電力を抑えるスリープ状態に移行させ、前記第２表示部での表示を開始し、前記通信部での通信を前記第２の通信方式による通信に切り替える、電力抑制移行ステップ、及び、
通常の動作状態である通常状態への移行の条件が満たされると、前記第１制御部を前記スリープ状態から復帰させて制御の主体を前記第１制御部に切り替え、前記第２表示部での表示を停止し、前記第１表示部での表示を開始し、前記通信部での通信を前記第１の通信方式による通信に切り替える、通常状態移行ステップ、
を実行させるためのプログラム。
【符号の説明】
【０１０６】
１…電子機器システム、１００…電子時計、１１０…第１制御部、１１１，１２１…プロセッサ、１１２，１２２…メモリ、１１３，１２３…計時回路、１２０…第２制御部、１３１…通信部、１３２…第１表示部、１３３…第１操作部、１３４…第２操作部、１３５…スイッチ部、１３６…第２表示部、１３７…センサ部、１３８…通知部、１４０…電源制御部、１４１…電池、２００…スマートフォン、Ｅ…目
【図１】
2020169862.tif 000003
【図２】
2020169862.tif 000004
【図３】
2020169862.tif 000005
【図４】
2020169862.tif 000006
【図５】
2020169862.tif 000007
【図６】
2020169862.tif 000008
【図７】
2020169862.tif 000009
【図８】
2020169862.tif 000010
【図９】
2020169862.tif 000011
【図１０】
2020169862.tif 000012
【図１１】
2020169862.tif 000013
【図１２】
2020169862.tif 000014